【手続補正書】
【提出日】平成17年9月21日(2005.9.21)
【手続補正１】
【補正対象書類名】明細書
【補正対象項目名】特許請求の範囲
【補正方法】変更
【補正の内容】
【特許請求の範囲】
【請求項１】  現像剤像を担持する像担持体と、
前記像担持体上の現像剤に接触すると共に電圧が印加される現像剤補助帯電手段と、
前記現像剤補助帯電手段よりも前記像担持体の表面移動方向下流に配置され、前記像担持体上の現像剤に交流電圧を印加して電荷を付与する現像剤帯電手段と、
を有し、
前記現像剤帯電手段が現像剤に付与する電荷の極性が前記現像剤補助帯電手段に印加される電圧の極性と同極性となる第１の帯電動作と、前記現像剤帯電手段が現像剤に付与する電荷の極性が前記現像剤補助帯電手段に印加される電圧の極性と逆極性となる第２の帯電動作とを行う画像形成装置であって、
前記第１の帯電動作において前記現像剤帯電手段が現像剤に印加する交流電圧の電荷付与極性側のピーク値をＶ１、前記第２の帯電動作において前記現像剤帯電手段が現像剤に印加する交流電圧の電荷付与極性側のピーク値をＶ２とするとき、
｜Ｖ１｜＜｜Ｖ２｜
が成り立つことを特徴とする画像形成装置。
【請求項２】  現像剤像を担持する像担持体と、
前記像担持体上の現像剤に接触すると共に電圧が印加される現像剤補助帯電手段と、
前記現像剤補助帯電手段よりも前記像担持体の表面移動方向下流に配置され、前記像担持体上の現像剤に矩形波電圧を印加して電荷を付与する現像剤帯電手段と、
を有し、
前記現像剤帯電手段が現像剤に付与する電荷の極性が前記現像剤補助帯電手段に印加される電圧の極性と同極性となる第１の帯電動作と、前記現像剤帯電手段が現像剤に付与する電荷の極性が前記現像剤補助帯電手段に印加される電圧の極性と逆極性となる第２の帯電動作とを行う画像形成装置であって、
前記第１の帯電動作において前記現像剤帯電手段に印加する矩形波電圧の立ち上がり傾きをα１、前記第２の帯電動作において前記現像剤帯電手段に印加する矩形波電圧の立ち上がり傾きをα２とするとき、
｜α１｜＜｜α２｜
が成り立つことを特徴とする画像形成装置。
【請求項３】  更に、前記像担持体と転写ニップを形成する第２の像担持体を有し、前記像担持体表面の移動に伴い前記現像剤帯電手段を通過した後の前記像担持体上の現像剤を、前記第２の像担持体に転写させ得ることを特徴とする請求項１又は２の画像形成装置。
【請求項４】  前記転写ニップにおいて、前記像担持体及び前記第２の像担持体が各々担持している現像剤を、互いに他方に転写させ得ることを特徴とする請求項３の画像形成装置。
【請求項５】  前記第１の帯電動作において前記現像剤補助帯電手段に印加される電圧の極性は、前記像担持体上の現像剤が該現像剤補助帯電手段を通過する前の現像剤の帯電極性と逆極性であることを特徴とする請求項１〜４のいずれかの項に記載の画像形成装置。
【請求項６】  前記第１の帯電動作において前記現像剤補助帯電手段に印加される電圧の極性は、現像剤像形成時の現像剤の極性とは逆極性であることを特徴とする請求項１〜４のいずれかの項に記載の画像形成装置。
【請求項７】  前記第２の帯電動作において前記現像剤補助帯電手段に印加される電圧の極性は、前記第１の帯電動作において該現像剤補助帯電手段に印加される帯電極性と逆極性であることを特徴とする請求項１〜６のいずれかの項に記載の画像形成装置。
【請求項８】  前記現像剤補助帯電手段は、回転体であることを特徴とする請求項１〜７のいずれかの項に記載の画像形成装置。
【請求項９】  前記現像剤帯電手段は、前記像担持体に接触して該像担持体上の現像剤を帯電させることを特徴とする請求項１〜８のいずれかの項に記載の画像形成装置。
【請求項１０】  前記現像剤帯電手段は、回転体であることを特徴とする請求項９の画像形成装置。
【請求項１１】  前記装置は、前記像担持体上の現像剤像を記録材に転写して記録画像を得るものであって、前記第１の帯電動作は記録材上に転写する画像に対応する前記像担持体の部位に対して行い、前記第２の帯電動作は記録材上に転写する画像に対応する像担持体の部位以外で行うことを特徴とする請求項１〜１０のいずれかの項に記載の画像形成装置。
【請求項１２】  前記現像剤帯電手段に印加する交流電圧の積分平均値は、前記第１の帯電動作と前記第２の帯電動作とにおいて略等しいことを特徴とする請求項１〜１１のいずれかの項に記載の画像形成装置。
【請求項１３】  前記像担持体は中間転写体であることを特徴とする請求項１〜１２のいずれかの項に記載の画像形成装置。
【手続補正２】
【補正対象書類名】明細書
【補正対象項目名】０００３
【補正方法】変更
【補正の内容】
【０００３】
電子写真方式を採用する画像形成装置の中でも更に種々の方式がある。例えば、電子写真感光体（感光体）の表面にカラー像（複数色のトナー像）を重ねた後に記録材に一括転写して像形成を行う多重現像方式、現像−転写のサイクルを繰り返し行う多重転写方式、一旦、中間転写体上に各色のトナー像を順次一次転写した後、記録材上に一括転写する中間転写方式等がある。これらのうち、特に中間転写方式は、混色の恐れがないこと、質や厚さの異なる様々な記録材の使用が可能であること等の利点を有する。
【手続補正３】
【補正対象書類名】明細書
【補正対象項目名】００２０
【補正方法】変更
【補正の内容】
【００２０】
【課題を解決するための手段】
上記目的は本発明に係る画像形成装置にて達成される。要約すれば、本発明は、現像剤像を担持する像担持体と、前記像担持体上の現像剤に接触すると共に電圧が印加される現像剤補助帯電手段と、前記現像剤補助帯電手段よりも前記像担持体の表面移動方向下流に配置され、前記像担持体上の現像剤に交流電圧を印加して電荷を付与する現像剤帯電手段と、を有し、前記現像剤帯電手段が現像剤に付与する電荷の極性が前記現像剤補助帯電手段に印加される電圧の極性と同極性となる第１の帯電動作と、前記現像剤帯電手段が現像剤に付与する電荷の極性が前記現像剤補助帯電手段に印加される電圧の極性と逆極性となる第２の帯電動作とを行う画像形成装置であって、前記第１の帯電動作において前記現像剤帯電手段が現像剤に印加する交流電圧の電荷付与極性側のピーク値をＶ１、前記第２の帯電動作において前記現像剤帯電手段が現像剤に印加する交流電圧の電荷付与極性側のピーク値をＶ２とするとき、｜Ｖ１｜＜｜Ｖ２｜が成り立つことを特徴とする画像形成装置である。
【手続補正４】
【補正対象書類名】明細書
【補正対象項目名】００２１
【補正方法】変更
【補正の内容】
【００２１】
本発明の他の態様によると、現像剤像を担持する像担持体と、前記像担持体上の現像剤に接触すると共に電圧が印加される現像剤補助帯電手段と、前記現像剤補助帯電手段よりも前記像担持体の表面移動方向下流に配置され、前記像担持体上の現像剤に矩形波電圧を印加して電荷を付与する現像剤帯電手段と、を有し、前記現像剤帯電手段が現像剤に付与する電荷の極性が前記現像剤補助帯電手段に印加される電圧の極性と同極性となる第１の帯電動作と、前記現像剤帯電手段が現像剤に付与する電荷の極性が前記現像剤補助帯電手段に印加される電圧の極性と逆極性となる第２の帯電動作とを行う画像形成装置であって、前記第１の帯電動作において前記現像剤帯電手段が現像剤に印加する矩形波電圧の立ち上がり傾きをα１、前記第２の帯電動作において前記現像剤帯電手段が現像剤に印加する矩形波電圧の立ち上がり傾きをα２とするとき、｜α１｜＜｜α２｜が成り立つことを特徴とする画像形成装置が提供される。